(57)【要約】【課題】コンドーム及びコンドームの製造方法に係り、特に円筒状袋体の袋口外周部に円環状リング体が形成されたコンドームとその製造方法を提供する。【解決手段】本発明のコンドームは、天然ゴム又は合成ゴムを極薄状の円筒状袋体に成形加工し、袋体の袋口外周部に、熱可塑性エラストマの射出成形により作製された円環状リング体を接着してなる。本発明のコンドームの製造方法は、液状の天然ゴム又は合成ゴムに、円筒状袋体形状の型を浸して引き揚げ、付着した液を乾燥させて型の外周部に極薄状の円筒状袋体を形成する第１ステップと、熱可塑性エラストマを射出成形して作製された円環状リング体を型に付着した状態の円筒状袋体の袋口に接着する第２ステップと、円環状リング体が接着された円筒状袋体を型から取り外す第３のステップとを含む。【選択図】      図１
2020036742.tif 000002
【特許請求の範囲】
【請求項１】
天然ゴム又は合成ゴムを極薄状の円筒状袋体に成形加工し、前記袋体の袋口外周部に、熱可塑性エラストマの射出成形により作製された円環状リング体を接着してなるコンドーム。
【請求項２】
円環状リング体の硬度が７〜１３デュロＥである請求項１に記載のコンドーム。
【請求項３】
液状の天然ゴム又は合成ゴムに、円筒状袋体形状の型を浸して引き揚げ、付着した液を乾燥させて前記型の外周部に極薄状の円筒状袋体を形成する第１ステップと、
熱可塑性エラストマを射出成形して作製された円環状リング体を前記型に付着した状態の前記円筒状袋体の袋口に接着する第２ステップと、
前記円環状リング体が接着された前記円筒状袋体を前記型から取り外す第３のステップとを含むコンドームの製造方法。
【請求項４】
前記円環状リング体の硬度が７〜１３デュロＥである請求項３に記載のコンドームの製造方法。
【発明の詳細な説明】
【技術分野】
【０００１】
本発明は、コンドーム及びコンドームの製造方法に係り、特に円筒状袋体の袋口外周部に円環状リング体が形成されたコンドームとその製造方法に関する。
【背景技術】
【０００２】
従来のコンドームは断面を円形状にして伸展装着を容易にし、使用までのパッケージ形状を確保する目的で、円筒状袋体の袋口の外周部に断面の直径が１ｍｍ前後の円環状リング体を形成している。この円環状リング体は、コンドーム本体である円筒状袋体の材料である天然ゴム又は合成ゴムと同一材料で、円筒状袋体と一体的に形成されている。
また、勃起させた陰茎（ペニス）の根元部分を締め付けて静脈血流の流動を制限して、勃起状態を維持させるためにコンドームの使用とは別にペニスに円環状リング体を装着することも行なわれている。
しかし、コンドームに勃起状態を維持させるための円環状リングの機能を合体させて作製されたものは特に知られていない。
従来のコンドームとしては、特許文献１〜５に記載されたものが知られている。
【先行技術文献】
【特許文献】
【０００３】
【特許文献１】実開平６−３３１７
【特許文献２】特開平６−４７０６９
【特許文献３】実開平６−５５６１７
【特許文献４】登録実用新案公報第３０５５２２１号
【特許文献５】特開平１１−２９０３６６
【０００４】
特許文献１に記載されているコンドームは、伸展装置状態に於いて、陰茎の根元に位置する開口（袋口）部分に中空の円環状リング２ａを構成し、その円環状リング２ａは外周に排気孔３ａを形成したものである（図３参照）。
中空円環状リング２ａの外周に形成された排気孔３ａが内圧により拡大すると、チューブ内の空気を排気孔３ａから排出して、断面の形状を扁平化し、受圧面積を広げることによって、大きく強めに加わる力を分散し、根元には適度な充血状態を維持させることができる。
しかし、中空円環状リング２ａの断面最外径の大きさｄを円筒部１ａ先端の最大径Ｄに対して所定の寸法割合に保つ必要があり、構造が複雑で必ずしも作製が容易でないという問題がある。
【０００５】
特許文献２に記載されているコンドームは、円筒状袋本体１ｂの袋口に玉縁状袋縁２ｂを構成し、玉縁状袋縁２ｂ内に、予め設定した温度雰囲気で、初期円環径から形状記憶した作用時円環径に僅かに小径になるように温度付勢してある環状の形状記憶狭径環４ｂをインサート成形した構造としている（図４参照）。
しかし、このコンドームは陰茎の根元を締め付けるためにＮｉ−Ｔｉなどの記憶形状合金を使用しているため、使用中に袋縁２ｂが破れると狭径環４ｂが飛び出して、陰茎に突き刺さる恐れがあり、使用時の気温が高いと狭径環４ｂが使用前に記憶形状に変形してしまい陰茎の挿入が不可能になるという問題を有している。
【０００６】
特許文献３に記載されているコンドームは、コンドーム本体１ｃにゴム、発泡材、その他の柔らかい材質のリング状のもの（リング体２ｃ）を添付している（図５参照）。
しかし、このリング体２ｃはコンドームを巻き上げるために用いるものであって、陰茎の根元を締め付けるものではなく、コンドーム装着後には取り外される。
【０００７】
特許文献４に記載されているコンドームは、コンドーム本体１ｄの基端部分に、幅（Ｈ）４ｍｍ〜６ｍｍ、内径（Ｌ）２５ｍｍ〜２８ｍｍに形成したリング２ｄを同一体に形成している（図６参照）。
しかし、このコンドームは、リング２ｄの材質がコンドーム本体１ｄの材質と同一体で、コンドームの作製と同時に所定形状のリング２ｄを袋口に形成しなければならないため、どのようにしてそのようなリングを形成するのかが不明である。
【０００８】
特許文献５に記載されているコンドームは、コンドームの開口端（基端）にあるベースリング３ｅと閉塞端（先端）との間に少なくとも１つ以上のリング５ｅ，７ｅ，９ｅを付加することで、装着中のコンドームの脱離や体液が漏出するのを防止したものである（図７参照）。
しかし、このコンドームは、開口端にあるベースリング３ｅについて特別に陰茎の根元を締め付けるための工夫を凝らしたものではなく、また陰茎を締め付けるためにベースリング３ｅの外に少なくとも１つ以上のリング５ｅ，７ｅ，９ｅを付加する必要があるので、構成が複雑化するという問題がある。
【発明の概要】
【発明が解決しようとする課題】
【０００９】
本発明は、上述した従来の問題点のいくつかを解決するためになされたもので、コンドームの袋口にコンドーム本体の材質とは異なる材質を用いて作製されたリング体を取付け、装着時に陰茎への締め付け効果が高く、かつ作製が容易なコンドームとその製造方法を提供することを目的とする。
【課題を解決するための手段】
【００１０】
上記目的を達成するための、請求項１に記載の発明では、天然ゴム又は合成ゴムを極薄状の円筒状袋体に成形加工し、前記袋体の袋口外周部に、熱可塑性エラストマの射出成形により作製された円環状リング体を接着したことを特徴とする。
請求項２に記載の発明では、円環状リング体の硬度が７〜１３デュロＥであることを特徴とする。
請求項３に記載の発明では、液状の天然ゴム又は合成ゴムに、円筒状袋体形状の型を浸して引き揚げ、付着した液を乾燥させて型の外周部に極薄状の円筒状袋体を形成する第１ステップと、熱可塑性エラストマを射出成形して作製された円環状リング体を型に付着した状態の円筒状袋体の袋口に接着する第２ステップと、円環状リング体が接着された円筒状袋体を型から取り外す第３のステップとを含むことを特徴とする。
請求項４に記載の発明では、円環状リング体の硬度が７〜１３デュロＥであることを特徴とする。
【発明の効果】
【００１１】
本発明のコンドームは、円筒状袋体の袋口外周部に、天然ゴムや合成ゴムを使用せず熱可塑性エラストマの射出成形により作製された円環状リング体を別途作製して接着して構成されている。従って、装着時に陰茎への締め付け効果が高く、かつ作製が容易である。
【図面の簡単な説明】
【００１２】
【図１】本発明のコンドームの構造を示す斜視図。
【図２】本発明のコンドームの製造方法の工程図。
【図３】従来のコンドーム（その１）の構造を示す伸展装着状態の長手軸方向一部断面図。
【図４】従来のコンドーム（その２）の構造を示す一部切欠斜視図。
【図５】従来のコンドーム（その３）の巻き上げ前の斜視図（Ａ）及び断面図（Ｂ）。
【図６】従来のコンドーム（その４）の一例を示す斜視図。
【図７】従来のコンドーム（その５）の一例を示す斜視図。
【発明を実施するための形態】
【００１３】
以下、本発明のコンドームの具体的な実施の形態を図１及び図２に基いて説明する。
図１は、本発明のコンドームとそれに使用されるリング体の実施例を示す図で、（Ａ）は一実施例に係るコンドームの構造を示す斜視図、（Ｂ），（Ｃ）はそれぞれリング体の構造を示す斜視図、及び上面図である。
本発明のコンドーム１０は天然ゴム又は合成ゴムを極薄状の円筒状袋体に成形加工して作製され、袋体本体１２の先端には精液溜１４が設けられ、袋口１６の外周部には、円環状リング体２０が接着されている。
【００１４】
円環状リング体２０は、熱可塑性エラストマの射出成形により作製される。即ち、所定の温度に加熱して軟化させたエラストマを成形用型の注入口から型内に射出注入し、冷却後に型から取出して使用する。
熱可塑性エラストマには、大別してスチレン系（ＴＰＳ）、オレフィン系（ＴＰＯ）、ウレタン系（ＴＰＵ）、ポリエステル系（ＴＰＥＥ）があり、いずれの系のものも使用することが出来るが、スチレン系（ＴＰＳ）のものが好適である。
【００１５】
エラストマ硬度は、ＪＩＳＫ６２５３準拠のタイプＥデュロメータである、ムラテックＫＤＳ株式会社製のＥタイプ置針型ＤＭ−１０７Ｅを用いて測定した。
その結果、硬度Ｅ７〜１３（７〜１３デュロＥと表記する）の範囲で好適な円環状リング体が得られた。
また、円環状リング体２０の内径Ｄｉ、外径Ｄｏ、幅Ｗはそれぞれ２５ｍｍ〜２８ｍｍ、好ましくは２７ｍｍ、３３ｍｍ〜４０ｍｍ、好ましくは３７ｍｍ、４ｍｍ〜６ｍｍ、好ましくは５ｍｍにするのが良い。
【００１６】
このようにして、それぞれ異なる材料、即ち天然ゴム又は合成ゴムと、熱可塑性エラストマとで作製された袋体本体１２と円環状リング体２０とは、袋体本体１２の袋口１６の外周部で接着され、コンドーム１０が完成する。なお接着には接着材を使用しても良いが、糸で縫い合わせてもよい。また接着材と糸の縫い合わせを併用しても良い。
【００１７】
図２は本発明のコンドームの一実施例に係る製造方法を説明するための工程図を示したものである。
まず、（Ａ）に示すように、コンドームの形をしたガラス型１００を用意する。
そして、（Ｂ）に示すように、液状の天然ゴム又は合成ゴム２００の入ったプール２５０に、ガラス型１００を浸す。すると、液２００がガラス型１００に付着する。この状態で（Ｃ）に示すようにガラス型１００を引き上げると液２００が付着した状態で引き上がるので、所定の条件で乾燥させると、ガラス型１００の表面に極薄状の円筒状袋体２０２が形成される。
【００１８】
次に、（Ｄ）に示すように、別途作製しておいた円環状リング体３００をガラス型１００に付着した状態の円筒状袋体２００の袋口に接着する。
その後、円環状リング体３００が接着された円筒状袋体２０２をガラス型１００から取り外すと、本発明のコンドームが完成する。
【符号の説明】
【００１９】
１０：コンドーム
１２：袋体本体
１６：袋口
２０：円環状リング体
１００：ガラス型
２０２：円筒状袋体
３００：円環状リング体
【図１】
2020036742.tif 000003
【図２】
2020036742.tif 000004
【図３】
2020036742.tif 000005
【図４】
2020036742.tif 000006
【図５】
2020036742.tif 000007
【図６】
2020036742.tif 000008
【図７】
2020036742.tif 000009
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
天然ゴム又は合成ゴムを極薄状の円筒状袋体に成形加工し、前記袋体の袋口外周部に、熱可塑性エラストマの射出成形により作製された硬度が７〜１３デュロＥの円環状リング体を接着してなるコンドーム。
【請求項２】
液状の天然ゴム又は合成ゴムに、円筒状袋体形状の型を浸して引き揚げ、付着した液を乾燥させて前記型の外周部に極薄状の円筒状袋体を形成する第１ステップと、
熱可塑性エラストマの射出成形により作製された硬度が７〜１３デュロＥの円環状リング体を、前記型に付着した状態の前記円筒状袋体の袋口に接着する第２ステップと、
前記円環状リング体が接着された前記円筒状袋体を前記型から取り外す第３のステップとを含むコンドームの製造方法。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
天然ゴム又は合成ゴムを極薄状の円筒状袋体に成形加工し、前記袋体の袋口外周部に、前記円筒状袋体の材質とは異なる材質である熱可塑性エラストマの射出成形により作製された硬度が７〜１３デュロＥの被着部位での断面形状が円形の円環状リング体を接着してなるコンドーム。
【請求項２】
液状の天然ゴム又は合成ゴムに、円筒状袋体形状の型を浸して引き揚げ、付着した液を乾燥させて前記型の外周部に極薄状の円筒状袋体を形成する第１ステップと、
前記円筒状袋体の材質とは異なる材質である熱可塑性エラストマの射出成形により作製された硬度が７〜１３デュロＥの被着部位での断面形状が円形の円環状リング体を、前記型に付着した状態の前記円筒状袋体の袋口に接着する第２ステップと、
前記円環状リング体が接着された前記円筒状袋体を前記型から取り外す第３のステップとを含むコンドームの製造方法。